(57)【特許請求の範囲】
【請求項１】
プレイヤーの押下を許容する少なくとも１つの押しボタンと、
該押しボタンの押下に対する信号を出力する基板と、
該基板に載置して前記押しボタンを出没可能に弾性支持する押下部材と、
前記各部材を収容するスイッチケースとで構成した押しボタンスイッチであって、
前記基板を収容して保持するとともに、前記スイッチケースに嵌合固定する基板取付部材を備え、
該基板取付部材を、
前記基板の押しボタン側平面とは逆側の平面における縁端に当接するとともに、前記基板の厚み方向に延びる略筒状に形成し、
前記押下部材を、
絶縁性を有する弾性素材で形成するとともに、
前記押しボタンを弾性支持する弾性支持部と、
前記基板の押しボタン側平面と対面する平面対面部と、
前記基板の側面と対面する側面対面部とで一体に形成し、
該側面対面部を、
前記基板の側面、及び前記基板取付部材の側面を一体的に覆う形状に形成したことを特徴とする
押しボタンスイッチ。
【請求項２】
前記押しボタンの出没可能な開口部を有するとともに、前記スイッチケースに嵌合固定するボタンカバーを備え、
前記スイッチケースに、
前記押下部材の前記弾性支持部及び前記押しボタンの挿入を許容するとともに、前記押しボタンの出没をガイドする出没ガイド部を形成した
請求項１に記載の押しボタンスイッチ。
【発明の詳細な説明】
【技術分野】
【０００１】
この発明は、例えば遊技機においてプレイヤーの各種選択入力を受け付ける十字ボタンスイッチのような押しボタンスイッチに関する。
【背景技術】
【０００２】
従来、各種遊技機において、娯楽性を高めるため様々な演出が施されているが、これら演出は、遊技の進行に応じて自動的に発生していた。昨今では、これら演出にもプレイヤーの選択操作や決定操作を受け付けることで、各種遊技機の娯楽性をより向上させている。
【０００３】
このようなプレイヤーの各種選択入力を受け付ける手段の一つとして、様々な形状の押しボタンスイッチがある。プレイヤーは、これら押しボタンスイッチの押しボタンを押下することで、演出の選択や決定などを行うことができる。
【０００４】
ところで、プレイヤーが押しボタンを押下した際、プレイヤーに帯電した静電気が押しボタンスイッチ内部に侵入することがある。そして、押しボタンスイッチ内部に侵入した静電気が、遊技機の制御基板に到達すると、各種遊技機の誤動作や故障の要因となるおそれがある。そこで、押しボタンスイッチに対して、例えば、特許文献１のような静電気対策が提案されている。
【０００５】
特許文献１に記載の押しボタンスイッチでは、押しボタンを押下可能に保持する弾性部材と、押しボタンスイッチを取り付けた操作パネルの導電性部分とをアース部材で接続することで、押しボタンから流れる静電気を操作パネルの導電性部分に逃がすことができるとされている。しかしながら、特許文献１では、スイッチ機能とは関係ないアース部材だけでなく、操作パネルにも導電性部分を別途設ける必要がある。
【先行技術文献】
【特許文献】
【０００６】
【特許文献１】特開２００６−６６０９８号公報
【発明の概要】
【発明が解決しようとする課題】
【０００７】
本発明は、上述の問題に鑑み、静電気の放電を防止することができる押しボタンスイッチを提供することを目的とする。
【課題を解決するための手段】
【０００８】
この発明は、プレイヤーの押下を許容する少なくとも１つの押しボタンと、該押しボタンの押下に対する信号を出力する基板と、該基板に載置して前記押しボタンを出没可能に弾性支持する押下部材と、前記各部材を収容するスイッチケースとで構成した押しボタンスイッチであって、前記基板を収容して保持するとともに、前記スイッチケースに嵌合固定する基板取付部材を備え、該基板取付部材を、前記基板の押しボタン側平面とは逆側の平面における縁端に当接するとともに、前記基板の厚み方向に延びる略筒状に形成し、前記押下部材を、絶縁性を有する弾性素材で形成するとともに、前記押しボタンを弾性支持する弾性支持部と、前記基板の押しボタン側平面と対面する平面対面部と、前記基板の側面と対面する側面対面部とで一体に形成し、該側面対面部を、前記基板の側面、及び前記基板取付部材の側面を一体的に覆う形状に形成したことを特徴とする。  
上記押下部材は、絶縁性を有するゴム系素材、あるいは絶縁性を有する軟質樹脂素材などとすることができる。
【０００９】
この発明により、静電気の放電を防止できる押しボタンスイッチを構成することができる。
【００１０】
具体的には、プレイヤーが押しボタンスイッチに近接、あるいは接触して静電気が放電した場合、静電気は、各部材の表面を這うようにして導電性部材である基板に向かって流れる。しかしながら、プレイヤーに蓄積された静電気は、押しボタンから基板に至る静電気が流れる経路の距離、所謂、沿面距離を延ばすことで放電しなくなる。例えば、３０ｋｖの静電気を放電させないためには、沿面距離を３０ｍｍ以上とすることが好ましい。
【００１１】
そこで、押下部材に基板の側面を覆う側面対面部を備えたことにより、静電気が流れた場合の経路は、押しボタンから押下部材の弾性支持部及び平面対面部を伝わって、さらに側面対面部の表面及び裏面を経由して基板に到達する経路とすることができる。
【００１２】
すなわち、側面対面部の表面及び裏面を経由する経路とすることで、押しボタンから押下部材を介して基板に至る沿面距離を長く延ばすことができるので、プレイヤーに帯電した静電気の放電を防止することができる。  
さらに、押しボタンと基板との直線距離を抑えたまま沿面距離のみを長く延ばすことができるので、押しボタンスイッチは、静電気の放電を防止することができ、かつ全長を抑えて薄型化することができる。
【００１３】
従って、押下部材に基板の側面を覆う側面対面部を備えた押しボタンスイッチは、静電気の放電を防止することができる。
【００１４】
この発明の態様として、前記押しボタンの出没可能な開口部を有するとともに、前記スイッチケースに嵌合固定するボタンカバーを備え、前記スイッチケースに、前記押下部材の前記弾性支持部及び前記押しボタンの挿入を許容するとともに、前記押しボタンの出没をガイドする出没ガイド部を形成することができる。
【００１５】
この発明により、押しボタンスイッチは、静電気の放電をより確実に防止することができる。
【００１６】
具体的には、基板は、基板取付部材の所定の位置に組付けることができる。そして、基板に載置した押下部材の弾性支持部をスイッチケースの出没ガイド部に挿入することで、押下部材は、スイッチケースに対して適切な位置及び向きで組付けることができる。さらに、基板取付部材とスイッチケースとが嵌合することで、押下部材と基板とを適切な位置及び向きで組付けることができる。
【００１７】
また、押しボタンは、スイッチケースの出没ガイド部に挿入することで、スイッチケースに対して適切な位置及び向きで組付けることができる。そして、ボタンカバーとスイッチケースとが嵌合するとともに、ボタンカバーの開口部によって、ボタンカバーは、スイッチケースに対して適切な位置及び向きで組付けることができる。
【００１８】
このように組付けることにより、押下部材は、基板あるいはスイッチケースに対する取付け位置を決める位置決め孔のような特別な開口を設けることなく、適切な位置及び向きで組付けることができる。このため、位置決め孔のような開口によって、沿面距離が短くなることを防止できる。すなわち、プレイヤーに蓄積した静電気が放電することをより確実に防止できる。さらに、押下部材は、位置決め孔のような開口を設けていないので、押下に対する耐久性を向上させることができる。
【００１９】
従って、位置決め孔のような開口を設けない押下部材により、沿面距離を確実に確保できるので、押しボタンスイッチは、より確実に静電気の放電を防止することができる。
【発明の効果】
【００２０】
本発明により、静電気の放電を防止できる押しボタンスイッチを提供することができる。
【図面の簡単な説明】
【００２１】
【図１】パチンコ遊技機の盤面表側の外観を示す外観斜視図。
【図２】十字ボタンスイッチの外観を示す外観斜視図。
【図３】十字ボタンスイッチの正面を示す正面図。
【図４】十字ボタンスイッチの構成を示す上面側からの分解斜視図。
【図５】十字ボタンスイッチの構成を示す底面側からの分解斜視図。
【図６】十字ボタンスイッチの平面を示す平面図。
【図７】図２中のＡ−Ａ矢視断面図。
【図８】図６中のＢ−Ｂ矢視断面図。
【図９】十字ボタンスイッチ内部に静電気が流れた場合の経路を説明する説明図。
【発明を実施するための形態】
【００２２】
この発明の一実施形態を以下図面と共に説明する。  
本実施形態では、一例として遊技ホールに設置されるパチンコ遊技機１０を用いて説明する。  
なお、図１は、パチンコ遊技機１０の盤面表側の外観斜視図を示している。  
また、本明細書において上面側とは、プレイヤーと対向する方向を示し、底面側もしくは底面方向とは、上面側を示す方向と逆向きの方向を示している。
【００２３】
パチンコ遊技機１０の盤面表側には、図１に示すように、上部に遊技面１が設けられ、その下部に、遊技球を打ち出し用に貯留させる上皿４と、払い出し用に遊技球を貯留させる下皿５とを上下に配設している。下皿５の左部上面には、十字ボタンスイッチ２０を設けている。さらに、パチンコ遊技機１０の右下側には、プレイヤーの回転操作によって遊技球の打撃力を調整させる遊技球発射用の発射ハンドル６を備えている。
【００２４】
また、遊技面１には、発射された遊技球を搬送する搬送レール２と、遊技進行に応じて各種演出画面を表示する演出画面表示部３が設けられている。
【００２５】
このような構成のパチンコ遊技機１０をプレイヤーが遊技利用する際、プレイヤーは、発射ハンドル６を回転操作して遊技球を発射する。この際、パチンコ遊技機１０は、発射ハンドル６の回転量に応じて、盤面裏側の発射装置（図示省略）より遊技球を１球ずつ発射させる。発射された遊技球は、搬送レール２に沿って遊技面１へと供給されて遊技が開始される。
【００２６】
そして、演出画面表示部３には、遊技の進行に応じて各種演出画面が表示される。そして、演出画面表示部３にプレイヤーの選択操作を要求する演出画面が表示されると、遊技利用中のプレイヤーは、十字ボタンスイッチ２０にて選択操作を行う。
【００２７】
このような十字ボタンスイッチ２０について、図２から図８を用いて詳しく説明する。  
なお、図２は十字ボタンスイッチ２０の外観斜視図を示し、図３は十字ボタンスイッチ２０の正面図を示し、図４は十字ボタンスイッチ２０の上面側からの分解斜視図を示し、図５は底面側からの分解斜視図を示し、図６は十字ボタンスイッチ２０の平面図を示し、図７は図２中のＡ−Ａ矢視断面図を示し、図８は図６中のＢ−Ｂ矢視断面図を示している。また、図７及び図８において、パチンコ遊技機１０の下皿５における上面の断面を二点鎖線にて図示している。
【００２８】
十字ボタンスイッチ２０は、図２及び図３に示すように、プレイヤーの操作を受け付けるスイッチ本体２１と、スイッチ本体２１を下皿５に固定するナット９０とで構成している。
【００２９】
具体的には、スイッチ本体２１は、図４及び図５に示すように、ボタンカバー３０、十字ボタン４０、及びスイッチケース５０で構成している。さらに、スイッチケース５０の内部には、押下部材６０、基板７０、及び基板取付部材８０を収容して構成している。
【００３０】
ボタンカバー３０は、プレイヤーと対面する対表面部３１、及びスイッチケース５０に嵌合する４つの嵌合脚部３２で一体に構成している。
【００３１】
対表面部３１は、図６に示すように、平面視において直線部３１ａと曲線部３１ｂとで構成した外周縁を有する略俵状の平板で形成している。さらに、対表面部３１には、図４から図６に示すように、後述する十字ボタン４０に対応する平面視略三角形状に開口した開口部Ｘを四方に配置している。
【００３２】
嵌合脚部３２は、略平板状であって、対表面部３１の曲線部３１ｂから底面方向に向けて形成している。さらに、嵌合脚部３２の底面側端部近傍には、スイッチケース５０（後述するスイッチケース５０のカバー嵌合爪部５６）と嵌合するカバー嵌合開口部３２ａを設けている。
【００３３】
また、十字ボタン４０は、上下左右に独立した４方向ボタンであって、略三角柱状に形成した上ボタン４１、下ボタン４２、左ボタン４３、及び右ボタン４４の４つのボタンで構成している。さらに、各ボタンには、それぞれの底面側外周縁において外側に向けて突設した鍔部４１ａ、４２ａ、４３ａ、及び４４ａを形成している。加えて、各ボタンの底面には、底面方向に延びる略円筒状のボタン軸部４１ｂ、４２ｂ、４３ｂ、及び４４ｂを備えている。
【００３４】
また、スイッチケース５０は、図３から図７に示すように、プレイヤーと対面するケース平面部５１、ケース平面部５１から底面方向に延設したケース胴部５３、及びケースネジ山部５７で一体に構成している。
【００３５】
ケース平面部５１は、平面視略円状の平板であって、略中央にボタンカバー３０の対表面部３１を載置可能な略俵状の開口を有する形状に形成している。さらに、ケース平面部５１の開口縁において、ボタンカバー３０の曲線部３１ｂに対応する位置に、嵌合脚部３２を挿入可能に開口した挿入開口部５２を設けている。
【００３６】
ケース胴部５３は、挿入開口部５２が外周面の外側に位置する大きさの平面視略俵状の筒形状であって、ケース平面部５１の開口縁から底面方向に延設している。さらに、ケース胴部５３の内部には、十字ボタン４０のボタン軸部４１ｂ、４２ｂ、４３ｂ、及び４４ｂが挿入可能な内周径を有する略円筒状のガイド筒部５４を平面視において四方に配置している。
【００３７】
そして、ケース胴部５３の内部には、ボタンカバー３０の対表面部３１と対面して、４つのガイド筒部５４の外周面とケース胴部５３の内周面とを繋ぐように略平板状の内平面部５５を形成している。さらに、内平面部５５の略中央には、図７に示すように、底面方向に向けて形成した略円筒状の形状であって、後述する押下部材６０の支持突部６４の挿入を許容する突部挿入部５９を設けている。
【００３８】
加えて、ケース胴部５３の外周面には、挿入開口部５２から底面側の離間した位置に、ボタンカバー３０の嵌合脚部３２と嵌合する４つのカバー嵌合爪部５６を外側に向けて形成している。
【００３９】
ケースネジ山部５７は、ケース胴部５３から底面方向に延設した略円筒状の形状であって、外周面にナット９０と螺合するネジ山を形成している。さらに、ケースネジ山部５７の外周面における底面側端部近傍には、基板取付部材８０（後述する基板取付部材８０の嵌合爪部８３）と嵌合する２つの嵌合部５８を、径方向において対向する位置に開口している。
【００４０】
また、押下部材６０は、平面対面部６１、側面対面部６２、４つの弾性支持部６３、及び支持突部６４で一体に構成している。なお、押下部材６０は、弾性を有するとともに、絶縁性を有するゴム系素材で形成されているものとする。さらに、押下部材６０は、弾性の反発力により十字ボタン４０をガイド筒部５４に沿って出没させるとともに、後述する基板７０と後述する押下部材６０の接触端子部６３ａが接触することで通電を確立させる機能を有している。
【００４１】
平面対面部６１は、スイッチケース５０の内平面部５５と対面するとともに、基板７０（後述する基板７０の基板本体７１）を覆う大きさの平面視略円状に形成している。  
側面対面部６２は、平面対面部６１の外周縁から底面方向に向けて形成した略円筒状の形状に形成している。
【００４２】
弾性支持部６３は、略円柱状の形状であって、平面対面部６１上においてスイッチケース５０のガイド筒部５４と対応するように四方に配置している。さらに、各弾性支持部６３の底面側底部には、導電性を有する接触端子部６３ａを備えている。
【００４３】
なお、弾性支持部６３は、図７に示すように、断面視において、接触端子部６３ａと基板７０とが離間するように配置するとともに、断面ハの字状の傾斜面６５を介して平面対面部６１と一体に形成している。この傾斜面６５は、十字ボタン４０を押下した際のクリック感をだすとともに、弾性による反発力により十字ボタン４０を出没可能にする機能を有している。
【００４４】
支持突部６４は、平面対面部６１上の略中央において、スイッチケース５０の突部挿入部５９に挿入可能な外周径を有する略円柱状に形成している。
【００４５】
また、基板７０は、各種電子部品を載置した基板本体７１、及び基板本体７１の底面側に備えたコネクタ７２で構成している。
【００４６】
基板本体７１は、平面視略円状の電子基板であって、押下部材６０の４つの接触端子部６３ａと対面する位置に、接触端子部６３ａが接触することで通電する被接触端子部７１ａを備えている。  
コネクタ７２は、略箱状の形状であって、パチンコ遊技機１０内部の制御機器などから引き出された配線（図示省略）と接続している。
【００４７】
また、基板取付部材８０は、図４及び図５に示すように、取付部材筒部８１、及び取付部材筒部８１の内部に形成した基板取付部８２で一体に構成している。
【００４８】
取付部材筒部８１は、図７に示すように、スイッチケース５０のケースネジ山部５７の内周径より小さく、かつ基板７０の基板本体７１を載置可能な外周径を有する略円筒状の形状に形成している。さらに、取付部材筒部８１の外周面には、スイッチケース５０の嵌合部５８と嵌合する２つの嵌合爪部８３を、径方向で対向する位置において外側に向けて形成している。
【００４９】
基板取付部８２は、取付部材筒部８１の軸方向に延びる平板で、基板７０のコネクタ７２の挿入を許容する平面視略矩形の開口を有する略井桁状の形状に形成している。
【００５０】
また、ナット９０は、スイッチケース５０のケースネジ山部５７と螺合可能な内周径を有する形状に形成している。なお、ナット９０の上面側平面には、略半円柱状の回り止めリブ９１を放射状に複数配置している。
【００５１】
このような構成のボタンカバー３０、十字ボタン４０、スイッチケース５０、押下部材６０、基板７０、及び基板取付部材８０をそれぞれ挿入あるいは嵌合して組付けることでスイッチ本体２１を構成している。そして、スイッチ本体２１は、下皿５の取付け孔に挿入して底面側からナット９０にて係止して下皿５に固定する。
【００５２】
具体的には、基板取付部材８０の基板取付部８２に、上面側から基板７０のコネクタ７２を挿入して組付ける。このとき、基板本体７１を、図７に示すように、取付部材筒部８１の上面側端部に載置するように組付ける。さらに、押下部材６０を、基板７０に上面側から被覆するように載置して組付ける。
【００５３】
そして、押下部材６０及び基板７０を組付けた基板取付部材８０をスイッチケース５０の底面側から挿入して組付ける。このとき、押下部材６０を、図７に示すように、弾性支持部６３がスイッチケース５０のガイド筒部５４に挿入できるように回転させて位置を合わせる。その後、基板取付部材８０の嵌合爪部８３が、付勢力によってスイッチケース５０の嵌合部５８にしっかりと嵌合するまで、基板取付部材８０をスイッチケース５０に挿入して組付ける。
【００５４】
また、十字ボタン４０を、図４に示すように、スイッチケース５０の上面側からガイド筒部５４に挿入して組付ける。この際、上ボタン４１、下ボタン４２、左ボタン４３、及び右ボタン４４の各ボタンを、それぞれの方向に応じた位置に合わせるとともに、ボタン軸部４１ｂ、４２ｂ、４３ｂ、及び４４ｂをガイド筒部５４に挿入して組付ける。
【００５５】
その後、ボタンカバー３０を、図４に示すように、スイッチケース５０の上面側から組付ける。この際、ボタンカバー３０の嵌合脚部３２を、図８に示すように、スイッチケース５０の挿入開口部５２に挿入して組付ける。そして、嵌合脚部３２のカバー嵌合開口部３２ａを、カバー嵌合爪部５６に外側から嵌め合わせるとともに、付勢力によってしっかりと嵌合させて組付ける。
【００５６】
このように各部材を組付けて構成したスイッチ本体２１を、図７に示すように、パチンコ遊技機１０の下皿５の取付け孔に上面側から挿入する。そして、スイッチ本体２１の底面側からスイッチケース５０のケースネジ山部５７にナット９０を螺合して、下皿５にスイッチ本体２１を固定する。
【００５７】
このようにして下皿５に取付けた十字ボタンスイッチ２０において、仮にプレイヤーに帯電した静電気が放電して、十字ボタンスイッチ２０内部に静電気が流れた場合の経路を、図９を用いて説明する。
【００５８】
なお、図９は十字ボタンスイッチ２０内部に静電気が流れた場合の経路を説明する説明図を示している。また、図９では簡略化のため下皿５、スイッチケース５０、及びナット９０の図示を省略している。
【００５９】
図９に示すように、帯電したプレイヤーの指先Ｆが、例えば、左ボタン４３に接近する、あるいは接触したとする。このとき、プレイヤーの指先Ｆから静電気が放電した場合、左ボタン４３から基板７０に至る静電気が流れる経路として、まず、静電気は、矢印Ｌ１に示すように、左ボタン４３の表面を這うようにして、ボタンカバー３０と左ボタン４３との隙間から十字ボタンスイッチ２０の内部に向けて流れる。
【００６０】
そして、ボタンカバー３０と左ボタン４３の隙間から十字ボタンスイッチ２０の内部に侵入した静電気は、矢印Ｌ２に示すように、鍔部４３ａからボタン軸部４３ｂの表面を這うようしてさらに内部に流れる。
【００６１】
さらに、静電気は、矢印Ｌ３に示すように、押下部材６０の表面を這うようにして流れて、導電性部材である基板７０の基板本体７１に到達する経路を辿る。
【００６２】
詳述すると、静電気は、押下部材６０の弾性支持部６３の表面を這うようにして平面対面部６１に向けて流れる。そして、平面対面部６１に到達した静電気は、平面対面部６１の上面側平面を伝って側面対面部６２に流れたのち、側面対面部６２の外周面を底面方向に向けて流れる。さらに、静電気は、側面対面部６２の底面側端部で折り返して、側面対面部６２の内周面を基板７０に向けて流れて基板７０の基板本体７１に到達する経路を辿る。
【００６３】
以上のように静電気が流れた場合の経路を長く延ばすことが実現できる上述の構成の十字ボタンスイッチ２０は、静電気の放電を防止することができる。
【００６４】
具体的には、帯電したプレイヤーの指先Ｆが十字ボタンスイッチ２０に近接、あるいは接触して放電した場合、静電気は、各部材の表面を這うようにして導電性部材である基板７０に向かって流れる。しかしながら、蓄積された静電気は、十字ボタン４０から基板７０に至る沿面距離を延ばすことで放電しなくなる。
【００６５】
そこで、押下部材６０に側面対面部６２を備えたことにより、静電気が流れた場合の経路は、十字ボタン４０から押下部材６０の弾性支持部６３及び平面対面部６１を伝わって、さらに側面対面部６２の外周面及び内周面を経由して基板７０に到達する経路とすることができる。
【００６６】
すなわち、側面対面部６２の外周面及び内周面を経由する経路とすることで、十字ボタン４０から押下部材６０を介して基板７０に至る沿面距離（図９中において矢印Ｌ１、Ｌ２、及びＬ３で示す距離）を長く延ばすことができるので、プレイヤーに帯電した静電気の放電を防止することができる。  
【００６７】
さらに、十字ボタン４０と基板７０との直線距離を抑えたまま沿面距離のみを長く延ばすことができるので、十字ボタンスイッチ２０は、静電気の放電を防止することができ、かつ全長を抑えて薄型化することができる。
【００６８】
従って、押下部材６０に基板７０の側面を覆う側面対面部６２を備えた十字ボタンスイッチ２０は、静電気の放電を防止することができる。
【００６９】
また、基板７０を収容するとともに、スイッチケース５０に嵌合固定する基板取付部材８０と、スイッチケース５０に嵌合固定するボタンカバー３０とを備え、スイッチケース５０に、押下部材６０の弾性支持部６３及び十字ボタン４０の挿入を許容するとともに、十字ボタン４０の出没をガイドするガイド筒部５４を形成したことにより、十字ボタンスイッチ２０は、静電気の放電をより確実に防止することができる。
【００７０】
具体的には、基板７０は、基板取付部材８０の基板取付部８２に組付けることができる。そして、基板７０に載置した押下部材６０の弾性支持部６３をスイッチケース５０のガイド筒部５４に挿入することで、押下部材６０は、スイッチケース５０に対して適切な位置及び向きで組付けることができる。さらに、基板取付部材８０とスイッチケース５０とが嵌合することで、押下部材６０と基板７０とを適切な位置及び向きで組付けることができる。
【００７１】
また、十字ボタン４０は、スイッチケース５０のガイド筒部５４に挿入することで、スイッチケース５０に対して適切な位置及び向きで組付けることができる。そして、ボタンカバー３０とスイッチケース５０とが嵌合するとともに、ボタンカバー３０の開口部Ｘによって、ボタンカバー３０は、スイッチケース５０に対して適切な位置及び向きで組付けることができる。
【００７２】
このように各部材を組付けることにより、押下部材６０は、基板７０あるいはスイッチケース５０に対する取付け位置を決める位置決め孔のような特別な開口を設けることなく、適切な位置及び向きで組付けることができる。このため、位置決め孔のような開口によって、沿面距離が短くなることを防止できる。すなわち、プレイヤーに蓄積した静電気が放電することをより確実に防止できる。さらに、押下部材６０は、位置決め孔のような特別な開口を設けていないので、押下に対する耐久性を向上させることができる。
【００７３】
従って、位置決め孔のような開口を設けない押下部材６０により、沿面距離を確実に確保することができるので、十字ボタンスイッチ２０は、より確実に静電気の放電を防止することができる。
【００７４】
また、十字ボタン４０及び押下部材６０の弾性支持部６３をガイド筒部５４に挿入したことにより、プレイヤーが十字ボタン４０を押下した際、十字ボタン４０がスムーズに出没することができる。
【００７５】
さらに、押下部材６０の支持突部６４をスイッチケース５０の突部挿入部５９に挿入することにより、押下部材６０を支持することができる。これにより、プレイヤーが十字ボタン４０を押下した際、バランス変化によって押下部材６０の弾性支持部６３が倒れることを抑制できる。
【００７６】
なお、本実施形態では、４方向の十字ボタン４０としたが、これに限定せず、用途に応じた適宜の数のボタンとしてもよい。例えば、上下もしくは左右の２方向ボタン、１つのボタン、あるいは２方向もしくは４方向ボタンと１つのボタンとを組み合わせた構成であってもよい。
【００７７】
また、押下部材６０は、弾性を有するとともに絶縁性を有するゴム系素材としたが、これに限定せず、弾性を有するとともに絶縁性を有する軟質樹脂素材などとしてもよい。
【００７８】
また、押下部材６０の接触端子部６３ａが基板７０の被接触端子部７１ａに接触することで通電する構成としたが、これに限定せず、押下部材６０と基板７０との接触構造は、適宜の構成としてもよい。
【００７９】
この発明の構成と、上述の実施形態との対応において、
この発明の押しボタンスイッチは、実施形態の十字ボタンスイッチ２０に対応し、
以下同様に、
押しボタンは、十字ボタン４０に対応し、
出没ガイド部は、ガイド筒部５４に対応するが、
この発明は、上述の実施形態の構成のみに限定されるものではなく、多くの実施の形態を得ることができる。
【産業上の利用可能性】
【００８０】
本発明は、遊技機だけでなく、選択あるいは決定操作を利用者に要求する様々な機器に対して利用することができる。
【符号の説明】
【００８１】
２０…十字ボタンスイッチ
３０…ボタンカバー
４０…十字ボタン
５０…スイッチケース
５４…ガイド筒部
６０…押下部材
６１…平面対面部
６２…側面対面部
６３…弾性支持部
７０…基板
８０…基板取付部材
Ｘ…開口部
【図１】
0005678787.tif 000002
【図２】
0005678787.tif 000003
【図３】
0005678787.tif 000004
【図４】
0005678787.tif 000005
【図５】
0005678787.tif 000006
【図６】
0005678787.tif 000007
【図７】
0005678787.tif 000008
【図８】
0005678787.tif 000009
【図９】
0005678787.tif 000010